(57)【要約】【課題】  モータトラクション制御時、部品保護とスタビリティの確保との両立を図ることができる車両のモータトラクション制御装置を提供すること。【解決手段】  駆動輪を駆動する動力源に装備された少なくとも１つのモータと、駆動輪の駆動スリップを検出し、モータトルクダウン制御により駆動輪のグリップを回復させるモータトラクション制御手段と、を備えた車両のモータトラクション制御装置において、前記モータトラクション制御手段には、部品保護のための第１トルクダウン量を演算する部品保護制御部と、車両挙動を安定させるための第２トルクダウン量を演算するスタビリティ制御部と、を有し、前記モータトラクション制御手段は、前記部品保護制御部による第１トルクダウン量と前記スタビリティ制御部による第２トルクダウン量のうち、トルクダウン量が大きい方を制御目標トルクダウン量として選択する手段とした。【選択図】        図６
2006115644.tif 000002
【特許請求の範囲】
【請求項１】
駆動輪を駆動する動力源に装備された少なくとも１つのモータと、駆動輪の駆動スリップを検出し、モータトルクダウン制御により駆動輪のグリップを回復させるモータトラクション制御手段と、を備えた車両のモータトラクション制御装置において、
前記モータトラクション制御手段には、部品保護のための第１トルクダウン量を演算する部品保護制御部と、車両挙動を安定させるための第２トルクダウン量を演算するスタビリティ制御部と、を有し、
前記モータトラクション制御手段は、前記部品保護制御部による第１トルクダウン量と前記スタビリティ制御部による第２トルクダウン量のうち、トルクダウン量が大きい方を制御目標トルクダウン量として選択することを特徴とする車両のモータトラクション制御装置。
【請求項２】
請求項１に記載された車両のモータトラクション制御装置において、
前記部品保護制御部は、前記モータが連結された駆動輪の角加速度により駆動スリップを検出し、角加速度が設定閾値を超えるとモータトルクダウン制御を行う角加速度制御部であることを特徴とする車両のモータトラクション制御装置。
【請求項３】
請求項１または請求項２に記載された車両のモータトラクション制御装置において、
前記スタビリティ制御部は、前記モータが連結された駆動輪のスリップ率により駆動スリップを検出し、スリップ率が駆動輪の路面グリップを確保する適正範囲に収まるようにモータトルクダウン制御を行うスリップ率制御部であることを特徴とする車両のモータトラクション制御装置。
【請求項４】
請求項１乃至３の何れか１項に記載された車両のモータトラクション制御装置において、
路面摩擦係数相当値を推定する路面摩擦係数相当値推定手段を設け、
前記スタビリティ制御部は、第２トルクダウン量を演算する際、推定される路面摩擦係数相当値が低摩擦係数を示すほど大きな位相遅れを与えることを特徴とする車両のモータトラクション制御装置。
【請求項５】
請求項４に記載された車両のモータトラクション制御装置において、
前記スタビリティ制御部は、第２トルクダウン量を演算する際、路面摩擦係数相当値が所定値以下の極低摩擦係数領域であると推定された場合、位相遅れ上限値を設定することを特徴とする車両のモータトラクション制御装置。
【請求項６】
請求項１乃至３の何れか１項に記載された車両のモータトラクション制御装置において、
前記モータトラクション制御手段に、前記部品保護制御部と前記スタビリティ制御部との一方を優先して選択する優先選択手段を設け、
前記モータトラクション制御手段は、前記優先選択手段により部品保護制御部が優先して選択されているとき、スタビリティ制御部による第２トルクダウン量の方が部品保護制御部による第１トルクダウン量よりも大きい場合には、優先順位を無視してスタビリティ制御部による第２トルクダウン量を選択することを特徴とする車両のモータトラクション制御装置。
【請求項７】
請求項６に記載された車両のモータトラクション制御装置において、
前記モータトラクション制御手段は、前記優先選択手段により部品保護制御部が優先して選択されているとき、部品保護制御部による第１トルクダウン量がスタビリティ制御部による第２トルクダウン量以上の場合であり、部品保護制御部による第１トルクダウン量が減少傾向、かつ、スタビリティ制御部による第２トルクダウン量が増加傾向であるときには、条件成立時のトルクダウン量を保持することを特徴とする車両のモータトラクション制御装置。
【請求項８】
請求項６に記載された車両のモータトラクション制御装置において、
前記モータトラクション制御手段は、前記優先選択手段により部品保護制御部が優先して選択されているとき、部品保護制御部による第１トルクダウン量がスタビリティ制御部による第２トルクダウン量以上の場合であり、部品保護制御部による第１トルクダウン量が減少傾向、かつ、スタビリティ制御部による第２トルクダウン量が増加傾向であるときには、条件成立時のトルクダウン量を緩やかな勾配にて変化させることを特徴とする車両のモータトラクション制御装置。
【請求項９】
請求項６乃至８の何れか１項に記載された車両のモータトラクション制御装置において、
前記モータトラクション制御手段は、前記優先選択手段により部品保護制御部が優先して選択されているとき、部品保護制御部による第１トルクダウン量よりもスタビリティ制御部による第２トルクダウン量の方が大きい場合であり、部品保護制御部による第１トルクダウン量が増加傾向、かつ、スタビリティ制御部による第２トルクダウン量が減少傾向であるときには、条件成立時のトルクダウン量を保持することを特徴とする車両のモータトラクション制御装置。
【請求項１０】
請求項６乃至８の何れか１項に記載された車両のモータトラクション制御装置において、
前記モータトラクション制御手段は、前記優先選択手段により部品保護制御部が優先して選択されているとき、部品保護制御部による第１トルクダウン量よりもスタビリティ制御部による第２トルクダウン量の方が大きい場合であり、部品保護制御部による第１トルクダウン量が増加傾向、かつ、スタビリティ制御部による第２トルクダウン量が減少傾向であるときには、条件成立時のトルクダウン量を緩やかな勾配にて変化させることを特徴とする車両のモータトラクション制御装置。
【請求項１１】
請求項８または請求項１０に記載された車両のモータトラクション制御装置において、
操舵角を検出する操舵角検出手段を設け、
前記モータトラクション制御手段は、操舵角が大きいほどトルクダウン量の変化速度を低下させることを特徴とする車両のモータトラクション制御装置。
【発明の詳細な説明】
【技術分野】
【０００１】
本発明は、ハイブリッド車や電気自動車等に適用され、駆動輪を駆動する動力源に少なくとも１つのモータが装備された車両のモータトラクション制御装置に関する。
【背景技術】
【０００２】
駆動輪を駆動する動力源にモータが装備されたハイブリッド車や電気自動車等では、駆動輪が駆動スリップすると、駆動輪の駆動スリップに合わせてモータが過回転し、モータ駆動回路に過電流が発生するため、部品保護のためには駆動スリップを応答良く収束させる必要がある。この部品保護を目的として駆動スリップを収束させるモータトラクション制御装置は、駆動輪の回転角速度の変化率（角加速度）が所定値以上のときに駆動スリップが発生すると予測し、モータトルクを低下する構成とし、モータトルクの増加に伴って生じる駆動スリップを防止している（例えば、特許文献１参照）。
【特許文献１】特開平１０−３０４５１４号公報
【発明の開示】
【発明が解決しようとする課題】
【０００３】
しかしながら、上記従来のモータトラクション制御装置にあっては、駆動スリップが生じやすい低μ路における部品保護を優先し、駆動スリップの発生が予測されると大きなモータトルクダウン量を与える構成としていたため、駆動スリップが発生するとモータトルクをトルクダウン量が過大となり、駆動輪のポテンシャル（トラクション）を最大限まで使い切れていない。したがって、挙動安定性（＝スタビリティ）の低下や加速のもたつき（＝スタンブル）が発生してしまう、という問題がある。特に、駆動輪を駆動する動力源にモータが装備された車両は、モータによるトルクの増減応答性が速いので、このような現象がエンジン車に比べ生じやすい。
【０００４】
本発明は、上記問題に着目してなされたもので、モータトラクション制御時、部品保護とスタビリティの確保との両立を図ることができる車両のモータトラクション制御装置を提供することを目的とする。
【課題を解決するための手段】
【０００５】
上記目的を達成するため、本発明における車両のモータトラクション制御装置では、駆動輪を駆動する動力源に装備された少なくとも１つのモータと、駆動輪の駆動スリップを検出し、モータトルクダウン制御により駆動輪のグリップを回復させるモータトラクション制御手段と、を備えた車両のモータトラクション制御装置において、
前記モータトラクション制御手段には、部品保護のための第１トルクダウン量を演算する部品保護制御部と、車両挙動を安定させるための第２トルクダウン量を演算するスタビリティ制御部と、を有し、
前記モータトラクション制御手段は、前記部品保護制御部による第１トルクダウン量と前記スタビリティ制御部による第２トルクダウン量のうち、トルクダウン量が大きい方を制御目標トルクダウン量として選択することを特徴とする。
【発明の効果】
【０００６】
よって、本発明の車両のモータトラクション制御装置にあっては、発進時や中間加速時等で駆動スリップが発生した場合、モータトラクション制御手段において、部品保護制御部による第１トルクダウン量とスタビリティ制御部による第２トルクダウン量のうち、トルクダウン量が大きい方が制御目標トルクダウン量として選択される。すなわち、部品保護制御部では、駆動スリップの発生を予測し、高い第１トルクダウン量が与えられるが、第１トルクダウン量を与えることで駆動輪のグリップ力が回復すると、逆に第１トルクダウン量は一気に低下し、この第１トルクダウン量の低下の途中において、スタビリティ制御部による第２トルクダウン量との大小関係が逆転することになる。よって、第１トルクダウン量≧第２トルクダウン量という関係にある間は第１トルクダウン量が選択されるため、部品保護制御部において、強電ユニットの回路部品を流れる過電流の発生やモータにより回転されるギヤ等の機械部品の過回転の発生が抑制される。その後、両トルクダウン量の関係が第１トルクダウン量<第２トルクダウン量という関係に変わると、第２トルクダウン量が選択されるため、スタビリティ制御部において、駆動輪のポテンシャルを最大限まで使い切れるように駆動スリップがコントロールされる。この結果、モータトラクション制御時、部品保護とスタビリティの確保との両立を図ることができる。
【発明を実施するための最良の形態】
【０００７】
以下、本発明の車両のモータトラクション制御装置を実現する最良の形態を、図面に示す実施例１〜実施例５に基づいて説明する。
【実施例１】
【０００８】
まず、ハイブリッド車の駆動系構成を説明する。
図１は実施例１のモータトラクション制御装置が適用されたハイブリッド車の駆動系を示す全体システム図である。実施例１におけるハイブリッド車の駆動系は、図１に示すように、エンジンＥと、第１モータジェネレータMG1と、第２モータジェネレータMG2（モータ）と、出力スプロケットOS、動力分割機構TMと、を有する。
【０００９】
前記エンジンＥは、ガソリンエンジンやディーゼルエンジンであり、後述するエンジンコントローラ１からの制御指令に基づいて、スロットルバルブのバルブ開度等が制御される。
【００１０】
前記第１モータジェネレータMG1と第２モータジェネレータMG2は、ロータに永久磁石を埋設しステータにステータコイルが巻き付けられた同期型モータジェネレータであり、後述するモータコントローラ２からの制御指令に基づいて、パワーコントロールユニット３により作り出された三相交流を印加することによりそれぞれ独立に制御される。
前記両モータジェネレータMG1,MG2は、バッテリ４からの電力の供給を受けて回転駆動する電動機として動作することもできるし（以下、この状態を「力行」と呼ぶ）、ロータが外力により回転している場合には、ステータコイルの両端に起電力を生じさせる発電機として機能してバッテリ４を充電することもできる（以下、この状態を「回生」と呼ぶ）。
【００１１】
前記動力分割機構TMは、サンギヤSと、ピニオンPと、リングギヤRと、ピニオンキャリアPCと、を有する単純遊星歯車により構成されている。そして、単純遊星歯車の３つの回転要素（サンギヤS、リングギヤR、ピニオンキャリアPC）に対する入出力部材の連結関係について説明する。前記サンギヤSには、第１モータジェネレータMG1が連結されている。前記リングギヤRには、第２モータジェネレータMG2と出力スプロケットOSとが連結されている。前記ピニオンキャリアPCには、エンジンダンパEDを介してエンジンＥが連結されている。なお、前記出力スプロケットOSは、チェーンベルトCBや図外のディファレンシャルやドライブシャフトを介して左右前輪（駆動輪）に連結されている。
【００１２】
上記連結関係により、図４に示す共線図上において、第１モータジェネレータMG1（サンギヤS）、エンジンＥ（プラネットキャリアPC）、第２モータジェネレータMG2及び出力スプロケットOS（リングギヤR）の順に配列され、単純遊星歯車の動的な動作を簡易的に表せる剛体レバーモデル（３つの回転数が必ず直線で結ばれる関係）を導入することができる。
ここで、「共線図」とは、差動歯車のギヤ比を考える場合、式により求める方法に代え、より簡単で分かりやすい作図により求める方法で用いられる速度線図であり、縦軸に各回転要素の回転数（回転速度）をとり、横軸に各回転要素をとり、各回転要素の間隔をサンギヤSとリングギヤRの歯数比λに基づく共線図レバー比（１：λ）になるように配置したものである。
【００１３】
次に、ハイブリッド車の制御系を説明する。
実施例１におけるハイブリッド車の制御系は、図１に示すように、エンジンコントローラ１と、モータコントローラ２と、パワーコントロールユニット３（強電ユニット）と、バッテリ４（二次電池）と、ブレーキコントローラ５と、統合コントローラ６と、を有して構成されている。
【００１４】
前記統合コントローラ６には、アクセル開度センサ７と、車速センサ８と、エンジン回転数センサ９と、第１モータジェネレータ回転数センサ１０と、第２モータジェネレータ回転数センサ１１と、から入力情報がもたらされる。なお、車速センサ８と第２モータジェネレータ回転数センサ１１は、同じ動力分割機構TMの出力回転数を検出するもであるため、車速センサ８を省略し、第２モータジェネレータ回転数センサ１１からのセンサ信号を車速信号として用いても良い。
【００１５】
前記ブレーキコントローラ５には、前左車輪速センサ１２と、前右車輪速センサ１３と、後左車輪速センサ１４と、後右車輪速センサ１５と、操舵角センサ１６（操舵角検出手段）と、マスタシリンダ圧センサ１７と、ブレーキストロークセンサ１８と、ヨーレイトセンサ２７と、横加速度センサ２８と、から入力情報がもたらされる。
【００１６】
前記エンジンコントローラ１は、アクセル開度センサ７からのアクセル開度APとエンジン回転数センサ９からのエンジン回転数Neを入力する統合コントローラ６からの目標エンジントルク指令等に応じ、エンジン動作点（Ne,Te）を制御する指令を、例えば、図外のスロットルバルブアクチュエータへ出力する。
【００１７】
前記モータコントローラ２は、レゾルバによる両モータジェネレータ回転数センサ１０，１１からのモータジェネレータ回転数N1,N2を入力する統合コントローラ６からの目標モータジェネレータトルク指令等に応じ、第１モータジェネレータMG1のモータ動作点（N1,T1）と、第２モータジェネレータMG2のモータ動作点（N2,T2）と、をそれぞれ独立に制御する指令をパワーコントロールユニット３へ出力する。なお、このモータコントローラ２は、バッテリ４の充電状態をあらわすバッテリS.O.Cの情報を用いる。
【００１８】
前記パワーコントロールユニット３は、より少ない電流で両モータジェネレータMG1,MG2への電力供給が可能な電源系高電圧システムによる強電ユニットを構成するもので、図５に示すように、ジョイントボックス３ａと、昇圧コンバータ３ｂと、駆動モータ用インバータ３ｃと、発電ジェネレータ用インバータ３ｄと、コンデンサ３ｅと、を有する。前記第２モータジェネレータMG2のステータコイルには、駆動モータ用インバータ３ｃが接続される。前記第１モータジェネレータMG1のステータコイルには、発電ジェネレータ用インバータ３ｄが接続される。また、前記ジョイントボックス３ａには、力行時に放電し回生時に充電するバッテリ４が接続される。
【００１９】
前記ブレーキコントローラ５は、低μ路制動時や急制動時等において、制動ロックの発生を防止するように、４輪のブレーキ液圧を独立に制御するブレーキ液圧ユニット１９への制御指令を出力する「ＡＢＳ制御」を行う。また、レーンチェンジ時や障害物の緊急回避時等において、車両の挙動安定性を確保するように、統合コントローラ６へのモータトラクション制御指令とブレーキ液圧ユニット１９への制御指令を出力する「ＶＤＣ制御」を行う（ＶＤＣとは、Vehicle Dynamics Controlの略で、他にもＶＳＣ(Vehicle Stability Control System)等と呼ばれることもある。）。さらに、エンジンブレーキやフットブレーキによる制動時や減速時等において、制動や減速のエネルギーを回収しながら要求制動力を得るように、統合コントローラ６への回生協調制御指令とブレーキ液圧ユニット１９への制御指令を出す「回生協調ブレーキ制御」を行う。
このブレーキコントローラ５には、各車輪速センサ１２，１３，１４，１５からの車輪速情報や、操舵角センサ１６からの操舵角情報や、マスタシリンダ圧センサ１７やブレーキストロークセンサ１８からの制動操作量情報や、ヨーレイトセンサ２７からのヨーレイト情報や、横加速度センサ２８からの横加速度情報が入力される。
そして、これらの入力情報に基づいて、所定の演算処理を実行し、その処理結果による制御指令を統合コントローラ６とブレーキ液圧ユニット１９へ出力する。なお、前記ブレーキ液圧ユニット１９には、前左車輪ホイールシリンダ２０と、前右車輪ホイールシリンダ２１と、後左車輪ホイールシリンダ２２と、後右車輪ホイールシリンダ２３と、が接続されている。
【００２０】
前記統合コントローラ６は、車両全体の消費エネルギーを管理し、最高効率で車両を走らせるための機能を担うもので、加速走行時等において、エンジンコントローラ１への制御指令によりエンジン動作点制御を行い、また、停止時や走行時や制動時等において、モータコントローラ２への制御指令によりモータジェネレータ動作点制御を行う。
この統合コントローラ６には、各センサ７，８，９，１０，１１からのアクセル開度APと車速VSPとエンジン回転数Neと第１モータジェネレータ回転数N1と第２モータジェネレータ回転数N2とが入力される。
そして、これらの入力情報に基づいて、所定の演算処理を実行し、その処理結果による制御指令をエンジンコントローラ１とモータコントローラ２へ出力する。なお、統合コントローラ６とエンジンコントローラ１、統合コントローラ６とモータコントローラ２、統合コントローラ６とブレーキコントローラ５は、情報交換のためにそれぞれ双方向通信線２４，２５，２６により接続されている。
【００２１】
次に、駆動力性能について説明する。
実施例１のハイブリッド車の駆動力は、図２(b)に示すように、エンジン直接駆動力（エンジン総駆動力から発電機駆動分を差し引いた駆動力）とモータ駆動力（両モータジェネレータMG1,MG2の総和による駆動力）との合計で示される。その最大駆動力の構成は、図２(a)に示すように、低い車速ほどモータ駆動力が多くを占める。このように、変速機を持たず、エンジンＥの直接駆動力と電気変換したモータ駆動力を加えて走行させることから、低速から高速まで、定常運転のパワーの少ない状態からアクセルペダル全開のフルパワーまで、ドライバの要求駆動力に対しシームレスに応答良く駆動力をコントロールすることができる（トルク・オン・デマンド）。
そして、実施例１のハイブリッド車では、動力分割機構TMを介し、エンジンＥと両モータジェネレータMG1,MG2と左右前輪の駆動輪とがクラッチ無しで繋がっている。また、上記のように、エンジンパワーの大部分を発電機で電気エネルギに変換し、高出力かつ高応答のモータで車両を走らせている。このため、例えば、アイスバーン等の滑りやすい路面での走行時において、駆動輪のスリップやブレーキ時の駆動輪のロック等で車両の駆動力が急変する場合、過剰電流からのパワーコントロールユニット３の部品保護、あるいは、動力分割機構TMのピニオン過回転からの部品保護を行う必要がある。これに対し、高出力・高応答のモータ特性を活かし、部品保護の機能から発展させて、駆動輪の駆動スリップを瞬時に検出し、そのグリップを回復させ、車両を安全に走らせるためのモータトラクション制御を採用している。
【００２２】
次に、制動力性能について説明する。
実施例１のハイブリッド車では、エンジンブレーキやフットブレーキによる制動時には、モータとして作動している第２モータジェネレータMG2を、ジェネレータ（発電機）として作動させることにより、車両の運動エネルギを電気エネルギに変換してバッテリ４に回収し、再利用する回生ブレーキシステムを採用している。
この回生ブレーキシステムでの一般的な回生ブレーキ協調制御は、図３(a)に示すように、ブレーキペダル踏み込み量に対し要求制動力を算出し、要求制動力に大きさにかかわらず、算出された要求制動力を回生分と油圧分とで分担することで行われる。
これに対し、実施例１のハイブリッド車で採用している回生ブレーキ協調制御は、図３(b)に示すように、ブレーキペダル踏み込み量に対し要求制動力を算出し、算出された要求制動力に対し回生ブレーキを優先し、回生分で賄える限りは油圧分を用いることなく、最大限まで回生分の領域を拡大している。これにより、特に加減速を繰り返す走行パターンにおいて、エネルギ回収効率が高く、より低い車速まで回生制動によるエネルギの回収を実現している。
【００２３】
次に、車両モードについて説明する。
実施例１のハイブリッド車での車両モードとしては、図４の共線図に示すように、「停車モード」、「発進モード」、「エンジン始動モード」、「定常走行モード」、「加速モード」を有する。
「停車モード」では、図４(1)に示すように、エンジンＥと発電機MG1とモータMG2は止まっている。「発進モード」では、図４(2)に示すように、モータMG2のみの駆動で発進する。「エンジン始動モード」では、図４(3)に示すように、エンジンスタータとしての機能を持つ発電機MG1によって、サンギヤSが回ってエンジンＥを始動する。「定常走行モード」では、図４(4)に示すように、主にエンジンＥにて走行し、効率を高めるために発電を最小にする。「加速モード」では、図４(5)に示すように、エンジンＥの回転数を上げると共に、発電機MG1による発電を開始し、その電力とバッテリ４の電力を使ってモータMG2の駆動力を加え、加速する。
なお、後退走行は、図４(4)に示す「定常走行モード」において、エンジンＥの回転数上昇を抑えたままで、発電機MG1の回転数を上げると、モータMG2の回転数が負側に移行し、後退走行を達成することができる。
【００２４】
始動時は、イグニッションキーを回すとエンジンＥが始動し、エンジンＥを暖機した後、直ぐにエンジンＥは停止する。発進時や軽負荷時は、発進時やごく低速で走行する緩やかな坂を下るときなどは、エンジン効率の悪い領域は燃料をカットし、エンジンは停止してモータMG2により走行する。通常走行時は、エンジンＥの駆動力は、動力分割機構TMにより一方は車輪を直接駆動し、他方は発電機MG1を駆動し、モータMG2をアシストする。全開加速時は、バッテリ４からパワーが供給され、さらに、駆動力を追加する。減速時や制動時には、車輪がモータMG2を駆動し、発電機として作用することで回生発電を行う。回収した電気エネルギはバッテリ４に蓄えられる。バッテリ４の充電量が少なくなると、発電機MG1をエンジンＥにより駆動し、充電を開始する。車両停止時には、エアコン使用時やバッテリ充電時等を除き、エンジンＥを自動的に停止する。
【００２５】
次に、作用を説明する。
［モータトラクション制御処理］
図６は実施例１の統合コントローラ６にて実行されるモータトラクション制御処理の流れを示すフローチャートで、以下、各ステップについて説明する（モータトラクション制御手段）。
【００２６】
ステップＳ１では、アクセル開度や車速等により決められる要求駆動トルクからエンジン分担トルクを差し引いた要求モータトルクを算出し、ステップＳ２へ移行する。
なお、第２モータジェネレータMG2のみを駆動源とする走行時には、エンジン分担トルクはゼロとなり、また、第２モータジェネレータMG2とエンジンＥとを駆動源とする走行時には、エンジン分担トルクはエンジン直接駆動力（図２参照）となる。
【００２７】
ステップＳ２では、ステップＳ１での要求モータトルクの算出に続き、第２モータジェネレータ回転数センサ１１からのセンサ信号に基づき、前輪（＝第２モータジェネレータMG2）の角加速度ω’を算出し、ステップＳ３へ移行する。
ここで、「角加速度ω’」の算出は、角速度（＝第２モータジェネレータ回転数）を時間微分することで算出することができる。微分演算の手法としては、例えば、サンプリングタイムが10msecの場合、現在の第２モータジェネレータ回転数計測値と10msec前の第２モータジェネレータ回転数計測値の偏差をとることで、微分値を算出することができる。
【００２８】
ステップＳ３では、ステップＳ２での角加速度ω’の算出に続き、角加速度ω’の大きさに応じて第１トルクダウン量を演算し、ステップＳ４へ移行する（部品保護制御部）。
ここで、第１トルクダウン量の演算は、例えば、図７に示すように、角加速度ω’がゼロから第１設定値ω1'まではトルクダウン量＝０とし、角加速度ω’が第１設定値ω1'から第２設定値ω2'までは角加速度ω’の増大に比例して増大するトルクダウン量を与え、角加速度ω’が第２設定値ω2'を超えると一定の最大トルクダウン量MAXを与える。
【００２９】
ステップＳ４では、ステップＳ３での第１トルクダウン量の演算に続き、ステップＳ１にて求めた要求モータトルクから、ステップＳ３で求めた第１トルクダウン量を差し引くことで第１目標モータトルクTM1*を演算し、ステップＳ５へ移行する。
【００３０】
ステップＳ５では、ステップＳ４での第１目標モータトルクTM1*の演算に続き、４輪の各車輪速センサ１２，１３，１４，１５からの車輪速情報に基づき、前輪のスリップ率ρを算出し、ステップＳ６へ移行する。
ここで、「スリップ率ρ」の算出は、左右後輪の平均車輪速を車体速Vbとし、左右前輪の平均車速を駆動輪速Vwとした場合、
ρ＝（Vw−Vb）／Vw
の式により算出される。なお、このスリップ率ρに代え、駆動輪速Vwから車体速Vbを差し引いたスリップ量を用いても良い。
【００３１】
ステップＳ６では、ステップＳ５でのスリップ率ρの算出に続き、スリップ率ρの大きさに応じて第２トルクダウン量を演算し、ステップＳ７へ移行する（スタビリティ制御部）。
ここで、第２トルクダウン量の演算は、例えば、図８に示すように、スリップ率ρが20％前後のＴＣＳ制御領域に入るようにトルクダウン量を与える。すなわち、スリップ率ρが大きくなると前後力の駆動力係数μdも横力Fyも共に減少する。特に横力Fyの減少は駆動輪の横滑り摩擦力を失わせ、操向安定性に悪影響を及ぼす。モータトラクションのスタビリティ制御は、このように走行安定性の低下を防止しつつ、駆動力を確保して加速性能を向上させるために、スリップ率ρを適正な範囲に制限する制御システムである。
【００３２】
ステップＳ７では、ステップＳ６での第２トルクダウン量の演算に続き、ステップＳ１にて求めた要求モータトルクから、ステップＳ６で求めた第２トルクダウン量を差し引くことで第２目標モータトルクTM2*を演算し、ステップＳ８へ移行する。
【００３３】
ステップＳ８では、ステップＳ７での第２目標モータトルクTM2*の演算に続き、ステップＳ４にて求めた第１目標モータトルクTM1*と、ステップＳ７にて求めた第２目標モータトルクTM2*とのセレクトローにより、モータトルク指令値を選択し、ステップＳ９へ移行する。
すなわち、第１目標モータトルクTM1*と第２目標モータトルクTM2*とのセレクトローにより、制御目標であるモータトルク指令値を選択することは、ステップＳ３による第１トルクダウン量とステップＳ６による第２トルクダウン量のうち、トルクダウン量が大きい方を制御目標トルクダウン量として選択することと同義である。
【００３４】
ステップＳ９では、ステップＳ８でのモータトルク指令値の選択に続き、選択したモータトルク指令値をモータコントローラ２へ出力し、リターンへ移行する。
［トラクション制御の背景技術について］
特開平６−２２９２６４号公報や特開平５−３１２０６１号公報等を含め、駆動輪に駆動スリップが発生したとき、当該駆動輪へ付与する駆動トルクを駆動スリップ状態に応じて調整するトルク低減制御を実施する車両用トラクション制御装置は、多数発表されている。
【００３５】
その車両用トラクション制御装置が、エンジンの駆動トルクを制御する方式を採用したものである場合、車両の低速走行時、特に発進時において以下の点が問題になることがある。
発進時には運転者が過度なアクセル操作を行った場合に生じる駆動スリップを低く抑えるためには、できるだけ早期にトラクション制御を開始することが望ましく、そのためにはスリップ基準値（スリップ目標値またはスリップ閾値、以下同様）を低い値に設定して、できるだけ早期に当該駆動スリップを検出する必要があり、特に、低車速時においては、エンジンやトランスミッション等の作動遅れ時間が大きいため、早期の駆動スリップの検出が駆動スリップを抑制する上で有効である。
しかし、低車速時にスリップ基準値を低く設定すると、駆動トルクを低下させすぎて、場合によってはエンジン回転数が極めて低くなってエンジン振動が大きくなる結果、運転フィーリングが良好にならず、さらに、エンジン回転数が低下し過ぎた場合、エンジンがストールしてしまう（エンストする）おそれがある。その結果、スリップ初期のスリップ基準値は高い値に設定する必要がある。
【００３６】
しかし、スリップ初期のスリップ基準値は高い値に設定すると、氷結路での転舵発進においては、ＦＦ車ではアンダーステアリングが発生し、ＦＲ車ではオーバーステアリングが発生するし、さらに、二次電池と駆動モータを用いた電気自動車等で、本制御を用いた場合には、発電機での発電が追いつかず、結果的に二次電池からの電力量の持ち出し量が多くなってしまい、大電流が発生するおそれがある。
【００３７】
上記問題を解決するため、特開昭６０−１０４４２８号公報、特開昭６２−２６５４３０号公報等が提案されており、これらには、車両の速度（車体速）が低いときに、スリップ基準値を高めに変更し、より多くの駆動スリップを許容するようにスリップ判定レベルを変更（よりスリップする判定方向）する技術が開示されている。
また、特開平５−３１２０６１号公報のように、駆動トルク調整手段による駆動トルク調整の開始以降に、スリップ基準値を当初設定した値より高い値に変更することで、運転フィーリング向上やエンジンストールを防止する技術が開示されている。しかし、これらの従来技術では、電力や電流について考慮されているわけではない。
【００３８】
一方、特開平１０−３０４５１４号公報には、スリップ率ではなく、スリップ初期に応答性を向上させる技術（角加速度制御）が開示されている。この手法は、主にハイブリッド車や電気自動車や燃料電池車等のように、駆動力を発生させるユニットとしてモータを用いた車両に適用されるケースが多い。
【００３９】
この技術の基本は、図９に示すように、角加速度演算部と駆動力制限演算部とトルク制限演算部とを有し、駆動輪の回転角速度の変化率（角加速度）が所定値以上のときに駆動スリップが発生すると予測し、モータトルクを低下（制限）させる構成となっている。この構成とすることにより、モータトルクの増加に伴って生じる駆動スリップを防止することができる。
【００４０】
ここで、駆動力を発生させるユニットとしてモータを用いたハイブリッド車において、駆動スリップの発生初期に高応答性にてスリップを抑制する「角加速度制御」が必要な理由について説明する。
仮にモータトラクション制御装置が無くて駆動スリップした場合には、エンジンの発電が追いつかず、モータはバッテリからどんどん電流を持ち出す。よって、モータ駆動回路に過電流が発生し、回路上の素子等にダメージを与えることになる。例えば、実施例１のパワーコントロールユニット３において、図５の矢印に示すように、コンデンサ３ｅを介して過電流が流れると、ジョイントボックス３ａのヒューズや昇圧コンバータ３ｂのスイッチング回路がダメージを受けてしまう場合がある。しかも、ハイブリッド車や燃料電池車では、二次電池に対してモータ出力（モータ出力比）が大きければ大きいほど過電流が流れやすい。また、二次電池に対してエンジン、燃料電池の出力（エンジン出力比）が大きければ大きいほど過電圧、過電流が流れやすい。という関係がある。
したがって、確実に部品保護を図るためには、滑ったらトルク制限をかけるという「角加速度制御」により駆動スリップを応答良く収束させるモータトラクション制御が必要となる。
【００４１】
しかしながら、従来の「角加速度制御」にあっては、駆動スリップが生じやすい低μ路における部品保護を優先し、駆動スリップの発生が予測されると大きなモータトルクダウン量を与える構成としていた。このため、例えば、図１０(a)に示すように、駆動スリップの発生により駆動輪車輪速が増大するとモータトルクが低減し、モータトルクの低減に伴って駆動輪車輪速も低下する。この駆動輪車輪速の低下は、最適スリップ量範囲（最適スリップ率範囲）を超えるものとなり、車体速レベルまで低下する。そして、駆動輪車輪速が車体速レベルまで低下するとモータトルクの増加が許容され、駆動輪車輪速は再び増大する再スリップ状況となり、駆動輪車輪速変動幅の大きなスリップ発生とスリップ収束の動作が繰り返される。
【００４２】
つまり、「角加速度制御」の場合、スリップ開始を早期に検知しトルクダウン制御に入ることで過電流の発生は防止できるものの、図１０(b)に示すように、コーナリングパワーの高い最適スリップ量範囲に対し実制御範囲は、スリップ量（スリップ率）が低い領域まで拡大していると共に高い領域まで拡大しているため、駆動輪のポテンシャルを最大限まで使い切れていない。
【００４３】
よって、「角加速度制御」の場合、図１１に示すように、駆動トルクの出力低下が大き過ぎて駆動輪車輪速が車両速度（車体速）に張り付くような場合、もたつきによる加速不良（スタンブル）が発生してしまうという問題がある。
【００４４】
また、「角加速度制御」の場合、図１０および図１１に示すように、駆動輪においてスリップ発生（スリップ量大）とスリップ収束（スリップ量小）とが繰り返され車輪速回転が変動すると、その反力により車両前後Ｇが変動する前後Ｇハンチングが発生してしまうという問題がある。
【００４５】
これに対し、特開２００１−２９５６７６号公報には、トルク制限の緩和条件を変えることで、スリップの発生と停止とを繰り返すハンチング防止技術が示されているものの、この制御によっても駆動輪のポテンシャルを最大限まで使い切れていないままであり、スタビリティ性能やトラクション性能の低下という問題が残ってしまう。
【００４６】
［モータトラクション制御作用］
上記背景技術に対し、実施例１のハイブリッド車のモータトラクション制御装置では、モータトラクション制御として、部品保護のための第１トルクダウン量を演算する「角加速度制御」と、車両挙動を安定させるための第２トルクダウン量を演算する「スリップ率制御」と、を組み合わせ、かつ、「角加速度制御」による第１トルクダウン量と「スリップ率制御」による第２トルクダウン量のうち、トルクダウン量が大きい方を制御目標トルクダウン量として選択することで、モータトラクション制御時、部品保護とスタビリティの確保との両立を図るようにした。
【００４７】
すなわち、駆動スリップが発生すると、図６のフローチャートにおいて、ステップＳ１→ステップＳ２→ステップＳ３→ステップＳ４へと進む流れとなり、ステップＳ３において、駆動輪である前輪の角加速度ω’の大きさに応じて第１トルクダウン量が演算され、ステップＳ４において、要求モータトルクから第１トルクダウン量を差し引くことで第１目標モータトルクTM1*が演算される。
【００４８】
そして、ステップＳ４から、ステップＳ５→ステップＳ６→ステップＳ７へと進む流れとなり、ステップＳ６において、駆動輪である前輪のスリップ率ρの大きさに応じて第２トルクダウン量が演算され、ステップＳ７において、要求モータトルクから第２トルクダウン量を差し引くことで第２目標モータトルクTM2*が演算される。
【００４９】
さらに、ステップＳ７から、ステップＳ８→ステップＳ９へ進む流れとなり、ステップＳ８において、第１目標モータトルクTM1*と第２目標モータトルクTM2*とのセレクトローによりモータトルク指令値が選択され、ステップＳ９において、選択されたモータトルク指令値を得るトルク指令が出力される。
【００５０】
したがって、発進時において駆動スリップが発生した場合を例にとり、図１２に基づきモータトラクション制御作用を説明する。駆動スリップが発進直後から発生すると、駆動輪の角加速度ω’が大きいことでスリップ率（スリップ量）が過大になってしまうことを予測し、「角加速度制御」による高い第１トルクダウン量を与える指令が出力される。そして、この高い第１トルクダウン量を与えることで駆動輪のグリップ力が回復すると、駆動輪の角加速度は低下し、駆動輪速特性としても角加速度ゼロの状態から角加速度負の状態へと移行して駆動スリップが収束することで、「角加速度制御」による第１トルクダウン量を一気に低下させる指令が出力される。つまり、この第１トルクダウン量の低下の途中において、「スリップ率制御」による第２トルクダウン量との大小関係が逆転することになる。
【００５１】
よって、第１トルクダウン量≧第２トルクダウン量という関係にある図１２(a)のt0時点からt1時点までの間は、第１トルクダウン量を演算する「角加速度制御」が選択されるため、部品保護制御である「角加速度制御」の実行により、パワーコントロールユニット３の回路部品を流れる過電流の発生や第２モータジェネレータMG2により回転されるピニオンP等の機械部品の過回転の発生が抑制される。
【００５２】
そして、t1の時点以降において、両トルクダウン量の関係が第１トルクダウン量<第２トルクダウン量という関係に変わると、第２トルクダウン量を選択する「スリップ率制御」に切り替わり、図１２(a)に示すように、「スリップ率制御」では、駆動輪の車輪速変動幅を小さく抑える制御が実行される。この「スリップ率制御」により、図１２(b)に示すように、スリップ率（スリップ量）が駆動輪のコーナリングパワーの高い領域に収まることになる。言い換えると、駆動輪のポテンシャルを最大限まで使い切れるように駆動スリップがコントロールされる。なお、「角加速度制御」から「スリップ率制御」へ切り替えられると、図１２(a)のt1時点以降の駆動輪の車輪速特性から明らかなように、車輪速の変化が滑らかになり、「角加速度制御」での角加速度閾値を超えるような大きな角加速度が出ないので、「スリップ率制御」の途中において「角加速度制御」が制御介入してくることはなく、切り替え後は「スリップ率制御」が維持される。
【００５３】
以上説明したように、実施例１のモータトラクション制御装置では、モータトラクション制御時、「角加速度制御」による第１トルクダウン量と「スリップ率制御」による第２トルクダウン量のうち、トルクダウン量が大きい方を制御目標トルクダウン量として選択する制御としたため、図１０(a)と図１２(a)との比較において、図１２(a)の方が車体の加速度が改善されていることかも明らかなように、確実に部品保護を達成できると共に、スタビリティ確保に伴うトラクション性能の確保も達成することができる。
【００５４】
また、「スリップ率制御」においては、上記のように、駆動輪のコーナリングパワーの高い領域のみのスリップ率（スリップ量）を用い、駆動輪の車輪速変動も小さく抑えられるため、車両前後Ｇが変動する前後Ｇハンチングの発生も抑制することができる。
【００５５】
次に、効果を説明する。
実施例１の車両のモータトラクション制御装置にあっては、下記に列挙する効果を得ることができる。
【００５６】
(1) 駆動輪を駆動する動力源に装備された少なくとも１つのモータと、駆動輪の駆動スリップを検出し、モータトルクダウン制御により駆動輪のグリップを回復させるモータトラクション制御手段と、を備えた車両のモータトラクション制御装置において、前記モータトラクション制御手段には、部品保護のための第１トルクダウン量を演算する部品保護制御部と、車両挙動を安定させるための第２トルクダウン量を演算するスタビリティ制御部と、を有し、前記モータトラクション制御手段は、前記部品保護制御部による第１トルクダウン量と前記スタビリティ制御部による第２トルクダウン量のうち、トルクダウン量が大きい方を制御目標トルクダウン量として選択するため、モータトラクション制御時、部品保護とスタビリティの確保との両立を図ることができる。
【００５７】
(2) 前記部品保護制御部は、前記モータが連結された駆動輪の角加速度により駆動スリップを検出し、角加速度が設定閾値を超えるとモータトルクダウン制御を行う角加速度制御部であるため、設定閾値を超える角加速度の発生により過大な駆動スリップとなることを予測し、応答良くモータの過回転を抑えることで、有効にパワーコントロールユニット３や動力分割機構TMの部品保護を達成することができる。
【００５８】
(3) 前記スタビリティ制御部は、前記モータが連結された駆動輪のスリップ率により駆動スリップを検出し、スリップ率が駆動輪の路面グリップを確保する適正範囲に収まるようにモータトルクダウン制御を行うスリップ率制御部であるため、スリップ率制御に入ると駆動輪のコーナリングパワーの高い領域のみのスリップ率（スリップ量）を用いる制御となり、トラクション性能を確保することができると共に、車両前後Ｇが変動する前後Ｇハンチングの発生も抑制することができる。
【実施例２】
【００５９】
実施例２は、スタビリティ制御部において第２トルクダウン量を演算する際、推定される路面摩擦係数が低摩擦係数を示すほど大きな位相遅れを与えるようにした例である。
【００６０】
すなわち、実施例１の「スリップ率制御」において、図１３(a)に示すように、第２トルクダウン量を演算する部分の構成を、駆動力制限演算部３０としたとき、駆動力制限演算部３０は、スリップ率ρに応じて第２トルクダウン量を算出する第２トルクダウン量算出部３０ａと、該第２トルクダウン量算出部３０ａからの第２トルクダウン量を路面μが低μであるほど大きな位相遅れを与える第２トルクダウン量指令値算出部３０ｂと、を備えている。
【００６１】
前記第２トルクダウン量出力値算出部３０ｂは、１／（TS＋１）の１次の位相遅れ式を用いて第２トルクダウン量の指令値を算出するもので、その時定数Tは、図１３(b)のT-μテーブルに示すように、推定される路面μが低μである場合に最も高い値とし、推定される路面μが高くなるほど比例的に低い値により与えられる。
【００６２】
ここで、路面μの推定は、例えば、第２トルクダウン量算出部３０ａにて算出した第２トルクダウン量が小さい値であるほど、路面μが低μであると推定する（路面摩擦係数相当値推定手段）。なお、他の実施例２の構成は、実施例１と同様であるので、図示並びに説明を省略する。
【００６３】
作用を説明すると、例えば、低μ路での発進時や中間加速時等においては、微小トルク変動でもスリップアップする可能性があった。これに対し、トラクションを維持するスリップ率（スリップ量）から算出した第２トルクダウン量が小さいとき（＝路面μが小さいとき）、図１３(c)に示すように、路面μが低μであるほどトルク指令値の位相遅れ時間を長くし、図１３(d),(e)に示すように、トルク変化量が小さくされる。
【００６４】
したがって、発進時や中間加速時等において、微小トルク変動ではスリップアップすることがない高μ路では、応答の良い第２トルクダウン量によりスリップ率ρの最適範囲への収束性を高めた「スリップ率制御」を実行することができる。また、微小トルク変動でスリップアップする低μ路では、トルク変化量を小さく抑えてスリップアップを防止することで、安定性の高い「スリップ率制御」を実行することができる。なお、他の作用は実施例１と同様であるので説明を省略する。
【００６５】
次に、効果を説明する。
実施例２の車両のモータトラクション制御装置にあっては、実施例１の(1),(2),(3)の効果に加え、下記の効果を得ることができる。
【００６６】
(4) 路面摩擦係数相当値を推定する路面摩擦係数相当値推定手段を設け、前記「スリップ率制御」では、第２トルクダウン量を演算する際、推定される路面摩擦係数相当値が低摩擦係数を示すほど大きな位相遅れを与えるため、「スリップ率制御」を実行するにあたって、路面μが高μである場合にはスリップ率ρの最適範囲への収束性を高めることができ、路面μが低μである場合にはスリップアップの防止による安定性を高めることができる。
【実施例３】
【００６７】
実施例３は、スタビリティ制御部において第２トルクダウン量を演算する際、推定される路面摩擦係数が低摩擦係数を示すほど大きな位相遅れを与えると共に、所定値以下の極低摩擦係数領域では位相遅れ上限値を設定するようにした例である。
【００６８】
すなわち、実施例１の「スリップ率制御」において、図１４(a)に示すように、第２トルクダウン量を演算する部分の構成を、駆動力制限演算部３０としたとき、駆動力制限演算部３０は、スリップ率ρに応じて第２トルクダウン量を算出する第２トルクダウン量算出部３０ａと、該第２トルクダウン量算出部３０ａからの第２トルクダウン量を路面μが低μであるほど大きな位相遅れを与えると共に、推定した路面μが所定値以下の領域では位相遅れ上限値を与える第２トルクダウン量指令値算出部３０ｂ’と、を備えている。
【００６９】
前記第２トルクダウン量出力値算出部３０ｂ’は、１／（TS＋１）の１次の位相遅れ式を用いて第２トルクダウン量の指令値を算出するもので、その時定数Tは、図１４(b)のT-μテーブルに示すように、推定した路面μが所定値（＝μ1：氷結路相当の路面μ）以下の領域では時定数Tを一定値tとすることにより位相遅れ上限値を与え、推定した路面μが所定値μ1以上の領域では、推定される路面μが高くなるほど比例的に低い値により与えられる。
【００７０】
ここで、路面μの推定は、例えば、第２トルクダウン量算出部３０ａにて算出した第２トルクダウン量が小さい値であるほど、路面μが低μであると推定する（路面摩擦係数相当値推定手段）。なお、他の実施例３の構成は、実施例１と同様であるので、図示並びに説明を省略する。
【００７１】
作用を説明すると、例えば、極端に路面μが低いときに位相を遅くし過ぎると、路面変化への対応が遅くなり、加速不良が発生する。これに対し、実施例３では、推定される路面μが極端に低いときには、位相遅れ上限値を与えることで、図１４(c)に示すように、トルク立ち上がり時間が遅くなることを防止できる。
【００７２】
したがって、発進時や中間加速時等において、微小トルク変動ではスリップアップすることがない高μ路では、応答の良い第２トルクダウン量によりスリップ率ρの最適範囲への収束性を高めた「スリップ率制御」を実行することができる。また、微小トルク変動でスリップアップする低μ路では、トルク変化量を小さく抑えてスリップアップを防止することで、安定性の高い「スリップ率制御」を実行することができる。実施例２のこれら作用に加え、実施例３では、極端に路面μが低い領域において、加速不良を改善することができる。なお、他の作用は実施例１と同様であるので説明を省略する。
【００７３】
次に、効果を説明する。
実施例３の車両のモータトラクション制御装置にあっては、実施例１の(1),(2),(3)および実施例２の(4)の効果に加え、下記の効果を得ることができる。
【００７４】
(5) 前記「スリップ率制御」では、第２トルクダウン量を演算する際、推定される路面摩擦係数相当値が所定値以下の極低摩擦係数領域であると推定された場合、位相遅れ上限値を設定するため、氷結路相当以下の極低摩擦係数領域において、加速不良を改善することができる。
【実施例４】
【００７５】
実施例４は、部品保護制御がスタビリティ制御（ＶＤＣシステム等でのＴＣＳ制御分）よりも優先されていても、スタビリティ制御の方がトルクダウン量が大きい場合は、優先順位を無視してスタビリティ制御を選択するようにした例である。なお、構成は実施例１と同様であるので、図示並びに説明を省略する。
【００７６】
次に、作用を説明する。
［モータトラクション制御処理］
図１５は実施例４のブレーキコントローラ５及び統合コントローラ６にて実行されるモータトラクション制御処理の流れを示すフローチャートで、以下、各ステップについて説明する（モータトラクション制御手段）。
【００７７】
ステップＳ４１では、各車輪速センサ１２，１３，１４，１５やヨーレイトセンサ２７や横加速度センサ２８から入力した信号に応じて、車輪速やヨーレイトや横加速度を算出し、ステップＳ４２へ移行する。
【００７８】
ステップＳ４２では、ステップＳ４１での必要情報の算出に続き、「スリップ率制御」での第２トルクダウン量（ＶＤＣシステムやその他の制御システムにおけるＴＣＳ制御分）を算出し、ステップＳ４３へ移行する。
【００７９】
ステップＳ４３では、ステップＳ４２での第２トルクダウン量の算出に続き、図６のステップＳ３と同様に、「角加速度制御」での第１トルクダウン量（強電ユニット部品保護制御量）を算出し、ステップＳ４４へ移行する。
【００８０】
ステップＳ４４では、ステップＳ４３での第１トルクダウン量の算出に続き、部品保護優先フラグがセットされているか否かを判断し、部品保護優先フラグがセットされている場合はステップＳ４８へ移行し、部品保護優先フラグがセットされていない場合はステップＳ４５へ移行する。
ここで、「部品保護優先フラグ」は、部品保護が必要と思われるときにセットされるフラグであり、例えば、駆動輪の角加速度が所定値以上である場合、ある車両状態において出力電力が所定電力以上でありために過電流が流れるおそれがある場合、等において、部品保護優先フラグがセットされる（優先選択手段）。
【００８１】
ステップＳ４５では、ステップＳ４４での部品保護優先フラグがセットされていないとの判断に続き、ＶＤＣシステムやその他の制御システムからのトルクダウン要求が有るか無いかの判断を行い、トルクダウン要求が有る場合にはステップＳ４６へ移行し、トルクダウン要求が無い場合にはステップＳ４７へ移行する。
【００８２】
ステップＳ４６では、ステップＳ４５での他の制御システムからのトルクダウン要求有りとの判断に続き、ステップＳ４２で算出された第２トルクダウン量を選択し、第２トルクダウン量を得る制御指令を出力し、リターンへ移行する。
【００８３】
ステップＳ４７では、ステップＳ４５での他の制御システムからのトルクダウン要求無しとの判断に続き、トルクダウン無しの制御指令を出力し、リターンへ移行する。
【００８４】
ステップＳ４８では、ステップＳ４４での部品保護優先フラグがセットされているとの判断に続き、部品保護制御による第１トルクダウン量がスタビリティ制御による第２トルクダウン量以上であるか否かが判断され、第１トルクダウン量≧第２トルクダウン量の場合にはステップＳ４９へ移行し、第１トルクダウン量<第２トルクダウン量の場合にはステップＳ５０へ移行する。
【００８５】
ステップＳ４９では、ステップＳ４８での第１トルクダウン量≧第２トルクダウン量との判断に続き、部品保護制御による第１トルクダウン量を選択し、第１トルクダウン量を得る制御指令を出力し、リターンへ移行する。
【００８６】
ステップＳ５０では、ステップＳ４８での第１トルクダウン量<第２トルクダウン量との判断に続き、部品保護優先フラグをクリアし、ステップＳ５１へ移行する。
【００８７】
ステップＳ５１では、ステップＳ５０での部品保護優先フラグのクリアに続き、スタビリティ制御による第２トルクダウン量を選択し、第２トルクダウン量を得る制御指令を出力し、リターンへ移行する。
【００８８】
［部品保護制御について］
部品保護制御は、例えば、雪道やアイスバーン等の低μ路で、発進時や走行時の駆動輪スリップや駆動輪ロック等により駆動力（トラクション）が急変した場合、高精度の回転センサ（図１６に示すレゾルバ）が駆動軸の回転状況を瞬時に検出し、統合コントローラ６に信号を送り、その後、統合コントローラ６はモータコントローラ２への指令により第２モータジェネレータMG2の駆動力を低減制御することにより行われる。つまり、駆動輪のグリップを回復させて運転者のアクセル操作に応じた駆動力を路面に伝達するというトラクション制御を実施する。併せて、モータコントローラ２が前記レゾルバからの信号に基づき算出した角加速度が大きいと、モータトルクを制限することで、急激な電流変動や動力分割機構TMのギヤ回転急上昇を防止し、十分に部品保護機能を果たす。
【００８９】
前記「レゾルバ」とは、図１６に示すように、ステータには３つのコイルが内蔵され、出力コイルＢ，Ｃは電気的に90°ずれて配置されている。ロータは楕円形をしており、ロータが回転すると、ステータとロータとの間のギャップ長さが変化する。コイルＡに交流電流を流すことにより、コイルＢ，Ｃにはロータ位置に応じた出力が発生し、この出力の差から絶対位置を検出出きるセンサである。また、一定時間内の位置の変化量をＣＰＵにて演算することにより、回転センサとしても使用しているセンサである。
【００９０】
［ＶＤＣシステムについて］
ＶＤＣシステムは、車両の旋回方向の安定性を確保するシステムである。通常、車両はステアリング操作に従い安定的に旋回するが、緊急旋回時等の不測の状況、または、外的要因等によっては、強い後輪横滑りや前輪横滑り傾向になる。ＶＤＣシステムでは、このような場合に安定性を確保させるべくエンジン・モータの出力制御と各車輪のブレーキ制御を自動的に行い、強い前輪横滑りや前輪横滑りを緩和する制御が行われる。本システムは、ヨーレイトセンサ２７や横加速度センサ２８等の各種センサからの信号により、車両の状態を感知し、ブレーキアクチュエータであるハイドロユニット１９に制御信号を出力することによるブレーキ液圧制御と、エンジンコントローラ１とモータコントローラ２に制御信号を出力することによるエンジン・モータ出力トルク制御と、から構成される。
例えば、駆動輪が横方向のグリップ限界を超える状況として、下記の２つの例が挙げられる。
(1) 後輪が前輪に対して相対的にグリップを失いつつある場合（強い後輪横滑り状態）。
(2) 前輪が後輪に対して相対的にグリップを失いつつある場合（強い前輪横滑り状態）。
【００９１】
ＶＤＣシステムは、図１７に示す状況の時に作動し、車両の強い後輪横滑りまたは前輪横滑り傾向を緩和する。車両の状態は、操舵角・車速・車両のヨーレイト・車両の横加速度を検出し、ブレーキコントローラ５により演算され、判定を行う。車両の強い後輪横滑り傾向の判定は、車体のスリップ角と車体のスリップ角速度の値により判定する。これは、車体のスリップ角が大きく、かつ、スリップ角速度も大きい場合、車体は強い後輪横滑り傾向であると演算する（図１８(a)参照）。車両の強い前輪横滑り傾向の判定は、目標ヨーレイトと実際の車両のヨーレイトの値により判定する。これは、運転者がステアリング操舵をした場合、本来発生すべき目標ヨーレイト（操舵角と車速から決定）よりも、実際の車両ヨーレイト（ヨーレイトセンサにより検出）少なくなれば、車体が曲がらないことを意味するため前輪横滑り傾向が大きいと演算する（図１８(b)参照）。
【００９２】
ＶＤＣの作動方法としては、例えば、ブレーキコントローラ５の判定により、車両状態が強い後輪横滑りまたは前輪横滑り傾向が大きいと判定された場合、エンジン・モータ出力を下げると共に、前輪又は後輪の制動力を与え、車両のヨーイングモーメントを制御して車両の横滑り状況を緩和させる。つまり、車両の強い後輪横滑り傾向の緩和を実施するためには、後輪横滑り傾向が大きいと判定した場合において、その傾向の程度に応じて旋回外側の前輪または前後輪にブレーキをかけ、車両の外向きにモーメントを発生させて後輪横滑り傾向を抑制させる。また、制動力による車速の低下も車両安定性の確保に寄与している（図１８(c)参照）。車両の強い前輪横滑り傾向の緩和を実施するためには、前輪横滑り傾向が大きいと判定した場合において、その傾向の程度に応じてエンジン・モータ出力を制御し、前後輪にブレーキをかけて横力を減少させることにより前輪横滑り傾向を抑制させる（図１８(d)参照）。
【００９３】
［モータトラクション制御作用］
従来、部品保護制御としては、例えば、特開平１０−３０４５１４号公報に「角加速度制御」が記載されているし、上記ＶＤＣシステムも実車の搭載されているように周知である。そこで、例えば、駆動輪の角加速度が所定値以上であり、部品保護が必要であることから部品保護優先フラグがセットされていて、図１９(a)に示すように、「角加速度制御」が実行されている時に、ＶＤＣシステムでのモータトルクダウン制御が介入してきた場合、図１９(b)の時刻t1から時刻t3までの部品保護優先フラグがセット中においては、優先順位にしたがって「角加速度制御」が優先されるため、第１トルクダウン量が選択されることになる。したがって、第１トルクダウン量がゼロとなる時刻t3の時点で部品保護優先フラグがリセットされると、その瞬間、ＶＤＣシステムでの第２トルクダウン量に切り替わり、図１９(c)に示すように、トルクダウン量がゼロから第２トルクダウン量まで変動する。よって、優先順位にしたがって「角加速度制御」からＶＤＣシステムでの「スタビリティ制御」へ切り替えると、切り替え時、急激なトルク変動や非線形なトルクが生じてしまうのでドライバビリティ性能を損なうばかりか、車両挙動に悪影響（例えば、前後Ｇ変動）を及ぼしてしまうという問題がある。
【００９４】
これに対し、実施例４の車両のモータトラクション制御装置では、部品保護制御部が優先して選択されているとき、スタビリティ制御部による第２トルクダウン量の方が部品保護制御部による第１トルクダウン量よりも大きい場合には、優先順位を無視してスタビリティ制御部による第２トルクダウン量を選択することで、部品保護とスタビリティの確保との両立を図ることができるのに加え、シームレスなトルク変化を実現でき、車両挙動を安定させるようにした。
【００９５】
すなわち、部品保護優先フラグがセット中であって、部品保護制御部による第１トルクダウン量がスタビリティ制御部による第２トルクダウン量以上である場合には、図１５のフローチャートにおいて、ステップＳ４１→ステップＳ４２→ステップＳ４３→ステップＳ４４→ステップＳ４８→ステップＳ４９へと進み、部品保護制御部による第１トルクダウン量が選択される。
【００９６】
そして、部品保護優先フラグがセット中であって、部品保護制御部による第１トルクダウン量がスタビリティ制御部による第２トルクダウン量未満になると、ステップＳ４８からステップＳ４５０→ステップＳ５１へと進み、ＶＤＣシステムのスタビリティ制御部による第２トルクダウン量が選択される。
【００９７】
したがって、図１９(d)に示すように、部品保護優先フラグがセット中であって、第１トルクダウン量≧第２トルクダウン量という関係を保つ時刻t1から時刻t2までは、第１トルクダウン量が選択され、第１トルクダウン量<第２トルクダウン量という関係に切り替わる時刻t2から時刻t3までは第２トルクダウン量が選択されることになる。よって、切り替え時（時刻t2）、急激なトルク変動や非線形なトルクが抑制されたシームレスなトルク変化となり、車両挙動を安定させることができる。
【００９８】
次に、効果を説明する。
実施例４の車両のモータトラクション制御装置にあっては、実施例１の(1),(2),(3)の効果に加え、下記の効果を得ることができる。
【００９９】
(6) 前記モータトラクション制御手段に、前記部品保護制御部と前記スタビリティ制御部との一方を優先して選択する優先選択手段を設け、前記モータトラクション制御手段は、前記優先選択手段により部品保護制御部が優先して選択されているとき、スタビリティ制御部による第２トルクダウン量の方が部品保護制御部による第１トルクダウン量よりも大きい場合には、優先順位を無視してスタビリティ制御部による第２トルクダウン量を選択するため、部品保護制御からスタビリティ制御への切り替え時、急激なトルク変動や非線形なトルクが抑制されたシームレスなトルク変化となり、車両挙動を安定させることができる。
【実施例５】
【０１００】
実施例５は、実施例４と同様に、スタビリティ制御の方がトルクダウン量が大きい場合は、優先順位を無視してスタビリティ制御を選択すると共に、部品保護制御とスタビリティ制御との切り替え領域でよりシームレスなトルク変化にする例である。なお、構成は実施例１と同様であるので、図示並びに説明を省略する。
【０１０１】
次に、作用を説明する。
［モータトラクション制御処理］
図２０は実施例５のブレーキコントローラ５及び統合コントローラ６にて実行されるモータトラクション制御処理の流れを示すフローチャートで、以下、各ステップについて説明する（モータトラクション制御手段）。なお、ステップＳ６１〜ステップＳ７１のそれぞれのステップは、図１５のステップＳ４１〜ステップＳ５１のそれぞれのステップと同じ処理を行うので、説明を省略する。
【０１０２】
ステップＳ７２では、ステップＳ６８での第１トルクダウン量≧第２トルクダウン量との判断に続き、部品保護制御部による第１トルクダウン量が減少傾向、かつ、スタビリティ制御部による第２トルクダウン量が増加傾向であるか否かが判断され、Yesの場合はステップＳ７３へ移行し、Noの場合はステップＳ６９へ移行する。
【０１０３】
ステップＳ７３では、ステップＳ７２での第１トルクダウン量が減少傾向、かつ、第２トルクダウン量が増加傾向であるとの判断に続き、部品保護優先フラグをクリアし、ステップＳ７４へ移行する。
【０１０４】
ステップＳ７４では、ステップＳ７３での部品保護優先フラグのクリアに続き、条件成立時のトルクダウン量を保持するか、もしくは、条件成立時のトルクダウン量を緩やかな勾配にて変化させる。
ここで、条件成立時のトルクダウン量を緩やかな勾配にて変化させる場合、操舵角が大きいほどトルクダウン量の変化速度を低下させる。
【０１０５】
ステップＳ７５では、ステップＳ６８での第１トルクダウン量<第２トルクダウン量との判断に続き、部品保護制御部による第１トルクダウン量が増加傾向、かつ、スタビリティ制御部による第２トルクダウン量が減少傾向であるか否かが判断され、Yesの場合はステップＳ７０へ移行し、Noの場合はステップＳ７１へ移行する。
【０１０６】
ステップＳ７６では、ステップＳ７０での部品保護優先フラグのクリアに続き、条件成立時のトルクダウン量を保持するか、もしくは、条件成立時のトルクダウン量を緩やかな勾配にて変化させる。
ここで、条件成立時のトルクダウン量を緩やかな勾配にて変化させる場合、ステップＳ７４と同様に、操舵角が大きいほどトルクダウン量の変化速度を低下させる。
【０１０７】
［モータトラクション制御作用］
部品保護優先フラグがセット中であって、部品保護制御を実行している時にＶＤＣシステムでのスタビリティ制御が介入してきた場合の作用を図２１に基づき説明する。
【０１０８】
まず、図２１の時刻t0から時刻t1までは、第１トルクダウン量≧第２トルクダウン量であり、第１トルクダウン量が増加傾向、かつ、第２トルクダウン量が増加傾向であるため、図２０のフローチャートにおいて、ステップＳ６１→ステップＳ６２→ステップＳ６３→ステップＳ６４→ステップＳ６８→ステップＳ７２→ステップＳ６９へと進み、ステップＳ６９において、第１トルクダウン量が選択される。
【０１０９】
図２１の時刻t1から時刻t2までは、第１トルクダウン量≧第２トルクダウン量であり、第１トルクダウン量が減少傾向、かつ、第２トルクダウン量が増加傾向であるため、図２０のフローチャートにおいて、ステップＳ６１→ステップＳ６２→ステップＳ６３→ステップＳ６４→ステップＳ６８→ステップＳ７２→ステップＳ７３→ステップＳ７４へと進み、ステップＳ７４において、条件成立時の第１トルクダウン量が保持されるか、もしくは、条件成立時の第１トルクダウン量を緩やかな勾配にて減少変化させる。
【０１１０】
図２１の時刻t2から時刻t3までは、第１トルクダウン量<第２トルクダウン量であり、第１トルクダウン量が減少傾向、かつ、第２トルクダウン量が増加傾向であるため、図２０のフローチャートにおいて、ステップＳ６１→ステップＳ６２→ステップＳ６３→ステップＳ６４→ステップＳ６８→ステップＳ７５→ステップＳ７１へと進み、ステップＳ７１において、第２トルクダウン量が選択される。
【０１１１】
図２１の時刻t3から時刻t4までは、第１トルクダウン量<第２トルクダウン量であり、第１トルクダウン量が減少傾向、かつ、第２トルクダウン量が減少傾向であるため、図２０のフローチャートにおいて、ステップＳ６１→ステップＳ６２→ステップＳ６３→ステップＳ６４→ステップＳ６８→ステップＳ７５→ステップＳ７１へと進み、ステップＳ７１において、第２トルクダウン量が選択される。
【０１１２】
図２１の時刻t4から時刻t5までは、第１トルクダウン量<第２トルクダウン量であり、第１トルクダウン量が増加傾向、かつ、第２トルクダウン量が減少傾向であるため、図２０のフローチャートにおいて、ステップＳ６１→ステップＳ６２→ステップＳ６３→ステップＳ６４→ステップＳ６８→ステップＳ７５→ステップＳ７０→ステップＳ７６へと進み、ステップＳ７６において、条件成立時の第２トルクダウン量が保持されるか、もしくは、条件成立時の第２トルクダウン量を緩やかな勾配にて減少変化させる。
【０１１３】
図２１の時刻t5以降では、第１トルクダウン量≧第２トルクダウン量であり、第１トルクダウン量が増加傾向、かつ、第２トルクダウン量が減少傾向であるため、図２０のフローチャートにおいて、ステップＳ６１→ステップＳ６２→ステップＳ６３→ステップＳ６４→ステップＳ６８→ステップＳ７２→ステップＳ６９へと進み、ステップＳ６９において、第１トルクダウン量が選択される。
【０１１４】
したがって、図２１の改善後特性に示すように、部品保護優先フラグがセットに基づき第１トルクダウン量による部品保護制御のみを実行する改善前特性と比較した場合、部品保護制御とスタビリティ制御との切り替え領域でダウンシフト側を保ちつつ、よりシームレスなトルク変化が達成される。つまり、車両挙動の安定性が確保されることになる。
【０１１５】
次に、効果を説明する。
実施例５の車両のモータトラクション制御装置にあっては、実施例１の(1),(2),(3)および実施例４の(6)の効果に加え、下記に列挙する効果を得ることができる。
【０１１６】
(7) 前記モータトラクション制御手段は、前記優先選択手段により部品保護制御部が優先して選択されているとき、部品保護制御部による第１トルクダウン量がスタビリティ制御部による第２トルクダウン量以上の場合であり、部品保護制御部による第１トルクダウン量が減少傾向、かつ、スタビリティ制御部による第２トルクダウン量が増加傾向であるときには、条件成立時のトルクダウン量を保持するため、トルクのスタンブルやスリップアップが発生することなく、車両挙動を常に安定させることができる。
【０１１７】
(8) 前記モータトラクション制御手段は、前記優先選択手段により部品保護制御部が優先して選択されているとき、部品保護制御部による第１トルクダウン量がスタビリティ制御部による第２トルクダウン量以上の場合であり、部品保護制御部による第１トルクダウン量が減少傾向、かつ、スタビリティ制御部による第２トルクダウン量が増加傾向であるときには、条件成立時のトルクダウン量を緩やかな勾配にて変化させるため、トルクのスタンブルやスリップアップが発生することなく、シームレスなトルク変化ができ、車両挙動を常に安定させることができる。
【０１１８】
(9) 前記モータトラクション制御手段は、前記優先選択手段により部品保護制御部が優先して選択されているとき、部品保護制御部による第１トルクダウン量よりもスタビリティ制御部による第２トルクダウン量の方が大きい場合であり、部品保護制御部による第１トルクダウン量が増加傾向、かつ、スタビリティ制御部による第２トルクダウン量が減少傾向であるときには、条件成立時のトルクダウン量を保持するため、トルクのスタンブルやスリップアップが発生することなく、車両挙動を常に安定させることができる。
【０１１９】
(10) 前記モータトラクション制御手段は、前記優先選択手段により部品保護制御部が優先して選択されているとき、部品保護制御部による第１トルクダウン量よりもスタビリティ制御部による第２トルクダウン量の方が大きい場合であり、部品保護制御部による第１トルクダウン量が増加傾向、かつ、スタビリティ制御部による第２トルクダウン量が減少傾向であるときには、条件成立時のトルクダウン量を緩やかな勾配にて変化させるため、トルクのスタンブルやスリップアップが発生することなく、トラクション性能も保ちながら車両挙動を常に安定させることができる。
【０１２０】
(11) 操舵角を検出する操舵角センサ１６を設け、前記モータトラクション制御手段は、操舵角が大きいほどトルクダウン量の変化速度を低下させるため、操舵角が大きい角度であり、車両の旋回挙動の安定性が求められるほど、車両挙動の安定性が高めることができる。
【０１２１】
以上、本発明の車両のモータトラクション制御装置を実施例１〜実施例５に基づき説明してきたが、具体的な構成については、これらの実施例に限られるものではなく、特許請求の範囲の各請求項に係る発明の要旨を逸脱しない限り、設計の変更や追加等は許容される。
【０１２２】
実施例１〜５では、部品保護制御部として、角加速度制御によりモータトルクを制限することで部品保護を達成する例を示したが、例えば、図２２や図２３に示すように、バッテリ（二次電池）より強電ユニット側で使用される電力の総和が、発電電力と二次電池からの持ち出しを超えないようにモータ出力やモータトルクを制限するようにしたり、また、バッテリ（二次電池）より強電ユニット側で使用される電流が、設定電流値を超えないようにモータ出力やモータトルクを制限するようにしても良い。これらの場合も過電流を防止することができ、部品保護が可能となる。
【０１２３】
実施例１〜５では、スタビリティ制御部として、スリップ率制御の例を示したが、例えば、駆動輪と従動輪との回転数偏差によりあらわされるスリップ量を最適範囲に制御するスリップ量制御等、要するに車両挙動を安定されるための第２トルクダウン量を演算する制御部であれば他の制御を採用しても良い。
【０１２４】
また、実施例１〜３においてスタビリティ制御部は、部品保護制御部と組み合わせられるパターン例を示し、実施例４，５においてスタビリティ制御部は、部品保護制御中に介入してくるパターン例を示したが、部品保護制御部以外にモータトラクション制御部として１つ以上のスタビリティ制御部を有するシステムであれば、部品保護制御部との組み合わせパターンであっても、ＶＤＣシステムやそれ以外の車載制御システムにおけるＴＣＳ制御分の介入パターンであっても良い。
【０１２５】
実施例２，３での路面摩擦係数相当値推定手段として、第２トルクダウン量算出部にて算出した第２トルクダウン量が小さい値であるほど、路面μが低μであると推定する手段の例を示したが、要するに路面摩擦係数相当値を推定することができる手段であれば、例えば、
・各車輪速および単位車輪荷重当たりの制駆動力の組み合わせを表す車輪毎の点を２次元座標上に表記し、これらの点を代表する直線を求めて路面摩擦係数を推定する手段
・駆動スリップ中の制限されたモータトルク出力値を路面摩擦係数相当値とする手段
・スリップ開始時のモータトルク出力値を路面摩擦係数相当値とする手段
・インフラからの路面μ情報の読み込み手段
等を用いても良い。
【産業上の利用可能性】
【０１２６】
実施例１〜５では、１つのエンジンと２つのモータジェネレータと動力分割機構を備えたハイブリッド車への適用例を示したが、本発明のモータトラクション制御装置は、他のパワーユニット構造を備えたハイブリッド車や電気自動車や燃料電池車やモータ４ＷＤ車等、要するに、駆動輪を駆動する動力源に少なくとも１つのモータが装備された車両であれば適用することができる。
【図面の簡単な説明】
【０１２７】
【図１】実施例１のモータトラクション制御装置が適用されたハイブリッド車を示す全体システム図である。
【図２】実施例１のモータトラクション制御装置が適用されたハイブリッド車における駆動力性能特性図と駆動力概念図である。
【図３】実施例１のモータトラクション制御装置が適用されたハイブリッド車における回生協調による制動力性能をあらわす対比特性図である。
【図４】実施例１のモータトラクション制御装置が適用されたハイブリッド車における各車両モードを示す共線図である。
【図５】実施例１のハイブリッド車の強電ユニットを示すブロック図である。
【図６】実施例１の統合コントローラにて実行されるモータトラクション制御処理の流れを示すフローチャートである。
【図７】実施例１でのモータトラクション制御のうち角加速度制御での第１トルクダウン量の特性の一例を示す図である。
【図８】実施例１でのモータトラクション制御のうちスリップ率制御を実行されるＴＣＳ制御量量を示す前後力の駆動力係数特性図および横力特性図である。
【図９】従来の角加速度制御を示す制御ブロック図である。
【図１０】従来の角加速度制御での駆動輪車輪速特性と車体速特性とコーナリングパワー特性を示す図である。
【図１１】従来の角加速度に基づくモータトラクションコントロールを用いた場合のアクセル開度・車両速度・駆動輪車速の各特性を示すタイムチャートである。
【図１２】実施例１でのモータトラクション制御での駆動輪車輪速特性と車体速特性とコーナリングパワー特性を示す図である。
【図１３】実施例２のモータトラクション制御装置においてスリップ率制御での第２トルクダウン量を演算する駆動力制限演算部を示すブロック図である。
【図１４】実施例３のモータトラクション制御装置においてスリップ率制御での第２トルクダウン量を演算する駆動力制限演算部を示すブロック図である。
【図１５】実施例４の統合コントローラにて実行されるモータトラクション制御処理の流れを示すフローチャートである。
【図１６】回転数センサとして用いられるレゾルバを示す図である。
【図１７】ＶＤＣシステムが作動する状況を示す説明図である。
【図１８】ＶＤＣシステムでの強い後輪横滑り傾向の判定と強い前輪横滑り傾向の判定と後輪横滑り傾向の緩和作用と前輪横滑り傾向の緩和作用との説明図である。
【図１９】部品保護優先フラグがセットされているときの部品保護トルクダウン量とＶＤＣトルクダウン量の特性・部品保護優先フラグ・従来のトルクダウン量選択特性・本発明（実施例４）でのトルクダウン量選択特性を示すタイムチャートである。
【図２０】実施例５の統合コントローラにて実行されるモータトラクション制御処理の流れを示すフローチャートである。
【図２１】改善前（部品保護優先）のトルクダウン量特性と改善後（実施例５）のトルクダウン量特性との比較特性図である。
【図２２】部品保護制御を適用する強電ユニットの一例を示すブロック図である。
【図２３】部品保護制御を適用する強電ユニットの他例を示すブロック図である。
【符号の説明】
【０１２８】
Ｅ  エンジン
MG1  第１モータジェネレータ
MG2  第２モータジェネレータ（モータ）
OS  出力スプロケット
TM  動力分割機構
１  エンジンコントローラ
２  モータコントローラ
３  パワーコントロールユニット
４  バッテリ
５  ブレーキコントローラ
６  統合コントローラ
７  アクセル開度センサ
８  車速センサ
９  エンジン回転数センサ
１０  第１モータジェネレータ回転数センサ
１１  第２モータジェネレータ回転数センサ
１２  前左車輪速センサ
１３  前右車輪速センサ
１４  後左車輪速センサ
１５  後右車輪速センサ
１６  操舵角センサ
１７  マスタシリンダ圧センサ
１８  ブレーキストロークセンサ
１９  ブレーキ液圧ユニット
２０  前左車輪ホイールシリンダ
２１  前右車輪ホイールシリンダ
２２  後左車輪ホイールシリンダ
２３  後右車輪ホイールシリンダ
２４，２５，２６  双方向通信線
２７  ヨーレートセンサ
２８  横加速度センサ
【図１】
2006115644.tif 000003
【図２】
2006115644.tif 000004
【図３】
2006115644.tif 000005
【図４】
2006115644.tif 000006
【図５】
2006115644.tif 000007
【図６】
2006115644.tif 000008
【図７】
2006115644.tif 000009
【図８】
2006115644.tif 000010
【図９】
2006115644.tif 000011
【図１０】
2006115644.tif 000012
【図１１】
2006115644.tif 000013
【図１２】
2006115644.tif 000014
【図１３】
2006115644.tif 000015
【図１４】
2006115644.tif 000016
【図１５】
2006115644.tif 000017
【図１６】
2006115644.tif 000018
【図１７】
2006115644.tif 000019
【図１８】
2006115644.tif 000020
【図１９】
2006115644.tif 000021
【図２０】
2006115644.tif 000022
【図２１】
2006115644.tif 000023
【図２２】
2006115644.tif 000024
【図２３】
2006115644.tif 000025